(57)【要約】【課題】  複数の音声情報に応じて録画内容を編集可能な録画装置を提供する。【解決手段】  音声信号ＡＵＤ１は、第１種類の音声信号Ａ１〜Ａ４と、第２種類の音声信号Ｂ１〜Ｂ５とに分けられた音声信号を示す。音声信号ＡＵＤ１は、音声の種類が変わるごとにチャプター番号ＣＨ１〜ＣＨ９が付与されている。音声信号ＡＵＤ２は、音声信号ＡＵＤ１から第２種類の音声信号Ｂ１〜Ｂ５を削除した後の音声信号を示す。音声信号ＡＵＤ３は、第２種類の音声信号Ｂ１〜Ｂ５が削除された後の空白部を結合し、新たにチャプター番号ＣＰ１〜ＣＰ４が設定された音声信号を示す。このようにして、音声信号の種類が切り替わるときに音声信号の種類に応じたチャプターを付し、それをもとに受信信号を編集する。【選択図】        図３
2006128813.tif 000002
【特許請求の範囲】
【請求項１】
外部から入力される信号を録画する録画装置であって、
前記録画装置は、ＤＶＤレコーダであり、
前記信号に含まれる映像信号および音声信号を処理する信号処理部と、
前記信号処理部を制御する制御部と、
前記信号処理部によって処理された信号を表示するとともに、前記制御部による編集作業をサムネイル化して表示する表示装置とを備え、
前記制御部は、前記音声信号の有する複数の音声情報に応じてチャプターマークを付加し、前記チャプターマークに基づいて前記音声信号および該音声信号に対応する前記映像信号を編集し、
前記複数の音声情報は、モノラル放送情報およびステレオ放送情報と、音声多重放送における主音声情報と副音声情報と、ドルビーサラウンド情報と、ドルビープロロジック情報とを含む、録画装置。
【請求項２】
外部から入力される信号を録画する録画装置であって、
前記信号に含まれる映像信号および音声信号を処理する信号処理部と、
前記信号処理部を制御する制御部とを備え、
前記制御部は、前記音声信号の有する複数の音声情報に応じてチャプターマークを付加し、前記チャプターマークに基づいて前記音声信号および該音声信号に対応する前記映像信号を編集する、録画装置。
【請求項３】
前記複数の音声情報は、モノラル放送情報およびステレオ放送情報を含む、請求項２に記載の録画装置。
【請求項４】
前記複数の音声情報は、音声多重放送における主音声情報と副音声情報とを含む、請求項２に記載の録画装置。
【請求項５】
前記複数の音声情報は、ドルビーサラウンド情報を含む、請求項２に記載の録画装置。
【請求項６】
前記複数の音声情報は、ドルビープロロジック情報を含む、請求項２に記載の録画装置。
【請求項７】
前記制御部による編集作業をサムネイル化して表示する表示装置をさらに備える、請求項２に記載の録画装置。
【請求項８】
前記録画装置は、ＤＶＤレコーダである、請求項２〜７のいずれかに記載の録画装置。
【発明の詳細な説明】
【技術分野】
【０００１】
この発明は、録画装置に関し、より特定的には、複数の音声情報を有する映像信号を録画する録画装置に関する。
【背景技術】
【０００２】
ＤＶＤ（Digital Versatile Disc）レコーダのような録画装置において、放送録画時に放送音声を「モノラル」か「ステレオ」かで区別してチャプターマークを付す技術が存在する。このような技術を用いて、録画された放送のコマーシャル（以下、ＣＭと称す）部分を選択的に削除することが従来から行なわれている。
【０００３】
従来の録画装置は、録画している番組についてＰＩＤ（Program IDentification）情報に変化があると、その旨を示すインデックスを記憶し、当該インデックスに基づいて番組を再生する。ＰＩＤ情報は番組本編とＣＭとで異なることから、このインデックスを用いることで番組再生時にＣＭのスキップが簡単に行なえる（たとえば、特許文献１参照）。
【０００４】
従来の映像記録再生装置は、テレビ信号に含まれる番組映像とＣＭ映像とを判別し、判別された番組映像およびＣＭ映像の各先頭に割り当てられたポインタによって映像を章分けする。再生時にはポインタを参照することにより、見たい章の映像を先頭から再生することができるとともに、ＣＭ映像を自動的にスキップして番組映像のみを再生することができる（たとえば、特許文献２参照）。
【０００５】
従来のビデオ／光ディスク一体型記録再生装置は、テープユニットから読み出された音声信号の種類を判定し、判定された音声信号の種別が切り替わったときに音声の変更情報を生成する。これにより、ビデオから光ディスクにダビング記録を行なう際のわずらわしい作業を行なう必要がなくなる（たとえば、特許文献３参照）。
【特許文献１】特開２００３−３２５９８号公報
【特許文献２】特開２００３−３１９３１４号公報
【特許文献３】特開２００４−１８５７２９号公報
【発明の開示】
【発明が解決しようとする課題】
【０００６】
従来の録画装置は、番組予約して録画する際、録画した番組の始めにユーザが録画しようとした番組以外のＣＭやニュース番組等が録画されてしまう場合がある。また、録画した番組の途中に入るＣＭやスポーツ番組の途中に入るニュースをユーザが独自に編集できることが望ましい。放送録画時に放送音声を「モノラル」か「ステレオ」かで区別してチャプターマークを付す従来技術では、このような課題に対応できない。
【０００７】
この発明は、上記の課題を解決するためになされたものであって、その目的は、複数の音声情報に応じて録画内容を編集可能な録画装置を提供することである。
【課題を解決するための手段】
【０００８】
この発明は、外部から入力される信号を録画する録画装置であって、録画装置は、ＤＶＤレコーダであり、信号に含まれる映像信号および音声信号を処理する信号処理部と、信号処理部を制御する制御部と、信号処理部によって処理された信号を表示するとともに、制御部による編集作業をサムネイル化して表示する表示装置とを備える。制御部は、音声信号の有する複数の音声情報に応じてチャプターマークを付加し、チャプターマークに基づいて音声信号および該音声信号に対応する映像信号を編集する。複数の音声情報は、モノラル放送情報およびステレオ放送情報と、音声多重放送における主音声情報と副音声情報と、ドルビーサラウンド情報と、ドルビープロロジック情報とを含む。
【０００９】
この発明の他の局面によれば、外部から入力される信号を録画する録画装置であって、信号に含まれる映像信号および音声信号を処理する信号処理部と、信号処理部を制御する制御部とを備える。制御部は、音声信号の有する複数の音声情報に応じてチャプターマークを付加し、チャプターマークに基づいて音声信号および該音声信号に対応する映像信号を編集する。
【００１０】
好ましくは、複数の音声情報は、モノラル放送情報およびステレオ放送情報を含む。
【００１１】
好ましくは、複数の音声情報は、音声多重放送における主音声情報と副音声情報とを含む。
【００１２】
好ましくは、複数の音声情報は、ドルビーサラウンド情報を含む。
【００１３】
好ましくは、複数の音声情報は、ドルビープロロジック情報を含む。
【００１４】
好ましくは、制御部による編集作業をサムネイル化して表示する表示装置をさらに備える。
【００１５】
好ましくは、録画装置は、ＤＶＤレコーダである。
【発明の効果】
【００１６】
この発明によれば、複数の音声情報に応じて録画内容を編集することが可能となる。
【発明を実施するための最良の形態】
【００１７】
以下、この発明の実施の形態について図面を参照して詳しく説明する。なお、図中同一または相当部分には同一符号を付してその説明は繰り返さない。
【００１８】
図１は、この発明の実施の形態による録画装置１００の概略的な構成を示したブロック図である。
【００１９】
図１を参照して、録画装置１００は、チューナ１と、信号処理部２と、制御部３と、ＨＤＤ（Hard Disk Drive）７と、リモコン受信部９と、操作部１０と、電源部１１と、テレビ（ＴＶ）モニタ１３と、アンテナ１４とを備える。制御部３は、ＣＰＵ（Central Processing Unit）４と、ＲＯＭ（Read Only Memory）５と、ＲＡＭ（Random Access Memory）６とを含む。録画装置１００は、リモコン１２によって操作可能である。
【００２０】
チューナ１は、アンテナ１４が受信した信号から所定チャンネルの信号を取り出す。なお、チューナ１は、ケーブル等から信号を受けることも可能である。信号処理部２は、チューナ１で取り出された映像信号および音声信号を処理する。制御部３は、ＣＰＵ４、ＲＯＭ５、ＲＡＭ６等を用いて信号処理部２の動作を制御する。ＨＤＤ７は、制御部３で用いられる情報の読出しおよび書込みを行なう。リモコン受信部９は、リモコン１２から送信されるコントロール信号を受信して制御部３に情報を伝達する。操作部１０は、制御部３の操作を行なう。電源部１１は、録画装置１００の各ブロックに電力を供給する。ＴＶモニタ１３は、録画装置１００で再生した映像を表示する。
【００２１】
この発明の実施の形態による録画装置１００は、信号処理部２に入力される音声信号の種類が切り替わるときに音声信号の種類に応じたチャプターマークを付し、それをもとに受信信号を編集する機能を有する。当該機能は、信号処理部２を制御している制御部３によって実現される。
【００２２】
これにより、ユーザの必要に応じて受信信号の編集を自由に行なえるため、従来の「アナログ」か「ステレオ」かによるＣＭカット機能では実現できなかった映画番組でのＣＭカットやニュース編集などを行なうことが可能となる。音声信号の種類には、たとえば以下のようなものがある。
【００２３】
地上波アナログ音声信号では、モノラル放送、ステレオ放送、音声多重放送（主音声または副音声）、ドルビーサラウンド、ドルビープロロジックなどが挙げられる。なお、ドルビーサラウンドおよびドルビープロロジックを受信する場合は、受信器に専用のデコーダが必要である。また、ステレオ放送と音声多重放送とは、所定の制御信号により判別可能である。このように、地上波アナログ放送では、ドルビーサラウンドおよびドルビープロロジックに対応する場合で５つ、対応しない場合でも３つの音声種類に少なくとも分けることができる。
【００２４】
衛星テレビジョン音声では、Ａモード（４ＣＨ）において、テレビ音声と付加音声とでそれぞれステレオ、モノ２ＣＨ、モノ１ＣＨに分けられる。また、Ｂモード（２ＣＨ）において、テレビ音声１、テレビ音声２に分けられる。このように、衛星テレビジョン音声では、Ａモードの９つの組合せ音声とＢモードの２音声とで計１１通りの音声種類に少なくとも分けることができる。
【００２５】
上記のような音声種類に応じてチャプターマークを自動的に付与するオートチャプター機能について、フロー図を用いて以下に説明する。
【００２６】
図２は、この発明の実施の形態による録画装置１００のオートチャプター機能について示したフロー図である。
【００２７】
図２を参照して、録画装置１００は、まず、ステップＳ１において、受信音声を初期値に設定する（すなわち、AUDIO_t=INITIAL，AUDIO_t-1=INITIALに設定）。次に、ステップＳ２において、録画装置１００がアンテナ１４等からの受信信号を現在録画中であるかどうか判定する。受信信号を現在録画中であれば、オートチャプター処理を終了する。
【００２８】
ステップＳ２で録画中でなければ、ステップＳ３において、現在の受信音声をAUDIO_tに設定する。その後、ステップＳ４において、変数AUDIO_tが変数AUDIO_t-1（AUDIO_tの１時刻前の受信音声）と等しいかどうかを判定する。AUDIO_t≠AUDIO_t-1であれば、ステップＳ５において、録画開始からの経過時間（カウンター）に対応する受信信号の領域にチャプターマークを設定する。
【００２９】
ステップＳ５でチャプターマークを設定するか、ステップＳ４においてAUDIO_t≠AUDIO_t-1でなければ、ステップＳ６において、変数AUDIO_tをAUDIO_t-1に設定する（すなわち、AUDIO_t-1=AUDIO_t）。ステップＳ６でAUDIO_t-1=AUDIO_tと設定した後、ステップＳ２に戻る。以上のオートチャプター機能によって音声信号ごとに分類された受信信号をさらに編集する手順について、次に説明する。
【００３０】
図３は、この発明の実施の形態による録画装置１００の音声編集機能を説明するための概念図である。
【００３１】
音声信号ＡＵＤ１は、図２のオートチャプター機能によって、第１種類の音声信号Ａ１〜Ａ４と、第２種類の音声信号Ｂ１〜Ｂ５とに分けられた音声信号を示す。音声信号ＡＵＤ１は、音声の種類が変わるごとにチャプター番号ＣＨ１〜ＣＨ９が付与されている。
【００３２】
音声信号ＡＵＤ２は、音声信号ＡＵＤ１から第２種類の音声信号Ｂ１〜Ｂ５を削除した後の音声信号を示す。
【００３３】
音声信号ＡＵＤ３は、第２種類の音声信号Ｂ１〜Ｂ５が削除された後の空白部を結合し、新たにチャプター番号ＣＰ１〜ＣＰ４が設定された音声信号を示す。
【００３４】
図３では２種類のグループに分類された音声信号を編集する例について示したが、２種類というのは一例であり、一般には３種類あるいはそれ以上に音声信号を分類して編集することも可能である。次に、音声編集機能のより具体的な例について説明する。
【００３５】
図４は、この発明の実施の形態による録画装置１００の音声編集機能の第１局面について示した模式図である。
【００３６】
図４は、録画された番組ごとの先頭画像をサムネイルＡ〜Ｈにサムネイル化したタイトル画面を示している。当該画面表示は、図１のＴＶモニタ１３を用いて行なうことができる。図４では、サムネイルＣを選択している。次に、編集項目から「４．音声別分割」を選択する。
【００３７】
図５は、この発明の実施の形態による録画装置１００の音声編集機能の第２局面について示した模式図である。
【００３８】
図５は、図４の画面で音声別分割が選択されたことで、サムネイルＣの音声グループＡ，Ｂ，Ｃ，…ごとに対応するサムネイル映像が表示された音声別分割画面を示している。各音声グループは、チャプターマークごとにサムネイル１−ａ，１−ｂ，…のようにサムネイルが分かれている（図２も参照）。
【００３９】
なお、図５下部の矢印アイコンを選択することにより、最初の音声別分割画面では表示できなかったグループＤ以降を表示することができる。グループＤ以降の表示画面では、矢印アイコンは上を指す。
【００４０】
このように音声別分割画面では、録画時に音声の種類が切り替わったポイントで付加されたチャプターマークの位置で音声別にグループを分けている。図５の音声選択画面ではグループＡ〜Ｃの中から削除したいグループを選択できる。図５では、グループＡを選択している。
【００４１】
図６は、この発明の実施の形態による録画装置１００の音声編集機能の第３局面について示した模式図である。
【００４２】
図６は、図５の画面でグループＡを選択した際に、グループＡを本当に削除してもよいか確認する削除確認画面を示している。図６では初期画面として「ＮＯ」が選択状態となっているが、ここで「ＹＥＳ」を選択することによりグループＡの削除が確定する。なお、ここで「ＮＯ」を選択すると、図５の音声別分割画面に戻る。
【００４３】
図７は、この発明の実施の形態による録画装置１００の音声編集機能の第４局面について示した模式図である。
【００４４】
図７は、図６の画面で「ＹＥＳ」を選択してことで、グループＡが削除され、サムネイル全体が上へシフトした削除後画面を示している。サムネイル全体が上へシフトすることにより、グループＤが新たに画面上に表れている。図４〜７のように、音声編集作業をＴＶモニタ１３を用いてサムネイル化することによって、編集作業を視覚的に分かりやすく行なうことができる。
【００４５】
以上のように、この発明の実施の形態によれば、信号処理部に入力される音声信号の種類が切り替わるときに音声信号の種類に応じたチャプターマークを付し、それをもとに受信信号を編集することにより、複数の音声情報に応じて録画内容を編集することが可能となる。
【００４６】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００４７】
【図１】この発明の実施の形態による録画装置１００の概略的な構成を示したブロック図である。
【図２】この発明の実施の形態による録画装置１００のオートチャプター機能について示したフロー図である。
【図３】この発明の実施の形態による録画装置１００の音声編集機能を説明するための概念図である。
【図４】この発明の実施の形態による録画装置１００の音声編集機能の第１局面について示した模式図である。
【図５】この発明の実施の形態による録画装置１００の音声編集機能の第２局面について示した模式図である。
【図６】この発明の実施の形態による録画装置１００の音声編集機能の第３局面について示した模式図である。
【図７】この発明の実施の形態による録画装置１００の音声編集機能の第４局面について示した模式図である。
【符号の説明】
【００４８】
１  チューナ、２  信号処理部、３  制御部、４  ＣＰＵ、５  ＲＯＭ、６  ＲＡＭ、７  ＨＤＤ、９  リモコン受信部、１０  操作部、１１  電源部、１２  リモコン、１３  ＴＶモニタ、１４  アンテナ、１００  録画装置。
【図１】
2006128813.tif 000003
【図２】
2006128813.tif 000004
【図３】
2006128813.tif 000005
【図４】
2006128813.tif 000006
【図５】
2006128813.tif 000007
【図６】
2006128813.tif 000008
【図７】
2006128813.tif 000009
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
外部から入力される信号を録画する録画装置であって、
前記録画装置は、ＤＶＤレコーダであり、
前記信号に含まれる映像信号および音声信号を処理する信号処理部と、
前記信号処理部を制御する制御部と、
前記信号処理部によって処理された信号を表示するとともに、前記制御部による編集作業をサムネイル化して表示する表示装置とを備え、
前記制御部は、前記音声信号の有する複数の音声情報に応じてチャプターマークを付加し、前記チャプターマークに基づいて前記音声信号および該音声信号に対応する前記映像信号を編集し、
前記複数の音声情報は、モノラル放送情報およびステレオ放送情報と、音声多重放送における主音声情報と副音声情報と、音響サラウンド情報と、拡張音響サラウンド情報とを含む、録画装置。
【請求項２】
外部から入力される信号を録画する録画装置であって、
前記信号に含まれる映像信号および音声信号を処理する信号処理部と、
前記信号処理部を制御する制御部とを備え、
前記制御部は、前記音声信号の有する複数の音声情報に応じてチャプターマークを付加し、前記チャプターマークに基づいて前記音声信号および該音声信号に対応する前記映像信号を編集する、録画装置。
【請求項３】
前記複数の音声情報は、モノラル放送情報およびステレオ放送情報を含む、請求項２に記載の録画装置。
【請求項４】
前記複数の音声情報は、音声多重放送における主音声情報と副音声情報とを含む、請求項２に記載の録画装置。
【請求項５】
前記複数の音声情報は、音響サラウンド情報を含む、請求項２に記載の録画装置。
【請求項６】
前記複数の音声情報は、拡張音響サラウンド情報を含む、請求項２に記載の録画装置。
【請求項７】
前記制御部による編集作業をサムネイル化して表示する表示装置をさらに備える、請求項２に記載の録画装置。
【請求項８】
前記録画装置は、ＤＶＤレコーダである、請求項２〜７のいずれかに記載の録画装置。
【手続補正２】
【補正対象書類名】明細書
【補正対象項目名】０００８
【補正方法】変更
【補正の内容】
【０００８】
この発明は、外部から入力される信号を録画する録画装置であって、録画装置は、ＤＶＤレコーダであり、信号に含まれる映像信号および音声信号を処理する信号処理部と、信号処理部を制御する制御部と、信号処理部によって処理された信号を表示するとともに、制御部による編集作業をサムネイル化して表示する表示装置とを備える。制御部は、音声信号の有する複数の音声情報に応じてチャプターマークを付加し、チャプターマークに基づいて音声信号および該音声信号に対応する映像信号を編集する。複数の音声情報は、モ
ノラル放送情報およびステレオ放送情報と、音声多重放送における主音声情報と副音声情報と、音響サラウンド情報と、拡張音響サラウンド情報とを含む。
【手続補正３】
【補正対象書類名】明細書
【補正対象項目名】００１２
【補正方法】変更
【補正の内容】
【００１２】
好ましくは、複数の音声情報は、音響サラウンド情報を含む。
【手続補正４】
【補正対象書類名】明細書
【補正対象項目名】００１３
【補正方法】変更
【補正の内容】
【００１３】
好ましくは、複数の音声情報は、拡張音響サラウンド情報を含む。
【手続補正５】
【補正対象書類名】明細書
【補正対象項目名】００２２
【補正方法】変更
【補正の内容】
【００２２】
これにより、ユーザの必要に応じて受信信号の編集を自由に行なえるため、従来の「モノラル」か「ステレオ」かによるＣＭカット機能では実現できなかった映画番組でのＣＭカットやニュース編集などを行なうことが可能となる。音声信号の種類には、たとえば以下のようなものがある。
【手続補正６】
【補正対象書類名】明細書
【補正対象項目名】００２３
【補正方法】変更
【補正の内容】
【００２３】
地上波アナログ音声信号では、モノラル放送、ステレオ放送、音声多重放送（主音声または副音声）、ドルビーサラウンド（登録商標）、ドルビープロロジック（登録商標）などが挙げられる。なお、ドルビーサラウンド（登録商標）およびドルビープロロジック（登録商標）を受信する場合は、受信器に専用のデコーダが必要である。また、ステレオ放送と音声多重放送とは、所定の制御信号により判別可能である。このように、地上波アナログ放送では、ドルビーサラウンド（登録商標）およびドルビープロロジック（登録商標）に対応する場合で５つ、対応しない場合でも３つの音声種類に少なくとも分けることができる。
【手続補正７】
【補正対象書類名】明細書
【補正対象項目名】００３１
【補正方法】変更
【補正の内容】
【００３１】
音声信号ＡＵＤ１は、図２のオートチャプター機能によって、第１種類の音声信号Ａ１〜Ａ４と、第２種類の音声信号Ｂ１〜Ｂ５とに分けられた音声信号を示す。音声信号ＡＵ
Ｄ１は、音声の種類が変わるごとにチャプター番号ＣＰ１〜ＣＰ９が付与されている。